(57)【要約】【課題】停電時に発電機３２を駆動するエンジン３１を起動させた状態で、当該発電機３２に特定負荷１１を投入する発電システムにおいて、小型化且つ低廉化を図りながら、負荷投入準備時間の短縮、負荷投入率の拡大、並びに、整定時間の短縮を実現可能な技術を提供する。【解決手段】電力負荷Ｌとは別に、特定負荷１１よりも消費電力が小さい模擬負荷２２を備え、停電制御手段Ｂが、発電機３２に特定負荷１１を投入する前に、発電機３２に模擬負荷２２を投入する模擬負荷投入処理を実行し、その後、発電機３２に投入される電力負荷を模擬負荷２２から特定負荷１１に切り替える投入負荷切替処理を実行して、発電機３２に特定負荷１１を投入する【選択図】図１
2015035930.tif 000002
【特許請求の範囲】
【請求項１】
エンジンにより駆動されて発電を行う発電機と、
商用電力系統から電力負荷への給電が停止する停電を検出する停電検出手段と、
前記停電検出手段により停電が検出された停電時に、前記エンジンを起動させた状態で、前記発電機に前記電力負荷の少なくとも一部の特定負荷を投入する停電制御手段と、を備えた発電システムであって、
前記電力負荷とは別に模擬負荷を備え、
前記停電制御手段が、前記模擬負荷の消費電力が前記特定負荷よりも小さい状態で、前記発電機に前記特定負荷を投入する前に、前記発電機に前記模擬負荷を投入する模擬負荷投入処理を実行し、その後、前記発電機に投入される電力負荷を前記模擬負荷から前記特定負荷に切り替える投入負荷切替処理を実行して、前記発電機に前記特定負荷を投入する発電システム。
【請求項２】
前記模擬負荷が、消費電力を変更自在に構成され、
前記停電制御手段が、前記模擬負荷投入処理において、前記模擬負荷の消費電力を所定の最小消費電力に設定した状態で当該模擬負荷を前記発電機に投入し、その後、前記模擬負荷の消費電力を前記特定負荷よりも小さい所定の切替前最大消費電力に漸次増加させた後に前記投入負荷切替処理を実行する請求項１に記載の発電システム。
【請求項３】
前記停電制御手段が、前記模擬負荷投入処理において、前記エンジンの運転状態が不安定と判定したときには、前記模擬負荷の消費電力の増加を禁止する請求項２に記載の発電システム。
【請求項４】
前記停電制御手段が、前記発電機の発電電圧が所定の基準電圧に到達したときに前記模擬負荷投入処理を実行し、前記エンジンの暖機が完了したときに前記投入負荷切替処理を実行する請求項１〜３の何れか１項に記載の発電システム。
【発明の詳細な説明】
【技術分野】
【０００１】
本発明は、エンジンにより駆動されて発電を行う発電機と、
商用電力系統から電力負荷への給電が停止する停電を検出する停電検出手段と、
前記停電検出手段により停電が検出された停電時に、前記エンジンを起動させた状態で、前記発電機に前記電力負荷の少なくとも一部の特定負荷を投入する停電制御手段と、を備えた発電システムに関する。
【背景技術】
【０００２】
電気機器などの電力負荷を設けた施設では、通常、商用電力系統から受電した基準電圧（例えば６６００Ｖ）及び基準周波数（例えば６０Ｈｚ）の受電電力が当該電力負荷に供給される。また、かかる施設には、例えば商用電力系統に連系して発電を行って、基準電圧及び基準周波数の発電電力を電力負荷に供給可能なコージェネレーションシステムなどの発電システムが設けられる場合がある。
このような発電システムとして、商用電力系統からの受電が停止する停電時において、商用電力系統から発電機を切り離した状態で、発電機を駆動するエンジンを起動させて発電機の自立運転を行い、発電機の発電電圧が確立し安定して発電が行えるようになった段階で、停電時の給電対象とする特定負荷の一部又は全部の特定負荷を発電機に投入して、特定負荷への給電を継続するように構成されたものが知られている（例えば特許文献１を参照）。
【０００３】
このような発電システムでは、停電時にできるだけ早い段階で安定して特定負荷への給電を開始するために、負荷投入準備時間（停電時から特定負荷が投入できる状態になるまでの時間）の短縮、負荷投入率（発電機の定格発電電力に対する特定負荷の消費電力の割合）の拡大、並びに、整定時間（特定負荷を投入してから発電機を駆動するエンジンの回転速度が安定するまでの時間）の短縮が望まれる。
そこで、この特許文献１の発電システムでは、バッテリー（電力貯蔵手段）を設け、特定負荷の投入時に、その特定負荷を発電機の発電電力とバッテリーの放電電力とで分担することで、見かけ上の負荷投入率を大きく取りながら、発電機へ投入される特定負荷を軽減して、エンジンの安定運転を確保している。
【先行技術文献】
【特許文献】
【０００４】
【特許文献１】特開２００７−００６５９５公報
【発明の概要】
【発明が解決しようとする課題】
【０００５】
上記特許文献１の発電システムでは、特定負荷の一部をバッテリーの放電電圧で賄う必要があるため、比較的大容量のバッテリーが必要となり、大型化及び高コスト化が問題となる。
本発明は、かかる点に着目してなされたものであり、その目的は、停電時に発電機を駆動するエンジンを起動させた状態で、当該発電機に特定負荷を投入する発電システムにおいて、小型化且つ低廉化を図りながら、負荷投入準備時間の短縮、負荷投入率の拡大、並びに、整定時間の短縮を実現可能な技術を提供する点にある。
【課題を解決するための手段】
【０００６】
この目的を達成するための本発明に係る発電システムは、
エンジンにより駆動されて発電を行う発電機と、
商用電力系統から電力負荷への給電が停止する停電を検出する停電検出手段と、
前記停電検出手段により停電が検出された停電時に、前記エンジンを起動させた状態で、前記発電機に前記電力負荷の少なくとも一部の特定負荷を投入する停電制御手段と、を備えた発電システムであって、
その特徴構成は、
前記電力負荷とは別に模擬負荷を備え、
前記停電制御手段が、前記模擬負荷の消費電力が前記特定負荷よりも小さい状態で、前記発電機に前記特定負荷を投入する前に、前記発電機に前記模擬負荷を投入する模擬負荷投入処理を実行し、その後、前記発電機に投入される電力負荷を前記模擬負荷から前記特定負荷に切り替える投入負荷切替処理を実行して、前記発電機に前記特定負荷を投入する点にある。
尚、本願において、模擬負荷とは、需要家の意思とは無関係に電力消費の有無の状態を切り換え可能な電力負荷であり、例えば、発生エネルギを需要家が即時利用するものではない状態で配置されたヒータやモータなどが利用される。
【０００７】
本特徴構成によれば、停電時に、エンジンが起動され略無負荷状態で自立運転を行う発電機に対して、特定負荷の投入前に、模擬負荷投入処理が実行されて、模擬負荷が投入されることになる。そして、この投入される模擬負荷は特定負荷よりも消費電力が小さいことから、この模擬負荷の投入時において発電機に投入される電力負荷の消費電力の増加幅は、略無負荷状態から特定負荷を突然投入したときと比べて小さくなる。よって、発電機を駆動するエンジンの回転速度を安定したものに維持して、発電機による安定した発電を継続することができる。また、特定負荷の投入前に、発電機に対して模擬負荷が投入されることから、略無負荷状態で発電機を運転するときと比べて、エンジンに適度な負荷をかけて暖機を進行させることができ、より早い段階で模擬負荷よりも大きい特定負荷を投入可能な状態とすることができる。
更に、このように模擬負荷が投入された発電機に対して、投入負荷切替処理が実行されて、発電機に投入される電力負荷を模擬負荷から特定負荷に切り替える形態で、特定負荷が投入されることになる。よって、特定負荷の投入時における発電機の負荷の増加幅は、略無負荷状態から特定負荷を突然投入したときと比べて小さくなるので、比較的大きな特定負荷を投入した場合でも、エンジンの回転速度を安定したものに維持して、発電機による安定した発電を継続することができる。
従って、本発明により、大容量のバッテリーを設ける必要がなく小型化且つ低廉化を図りながら、負荷投入準備時間の短縮、負荷投入率の拡大、並びに、整定時間の短縮を実現可能な発電システムを提供することができる。
【０００８】
本発明に係る発電システムの更なる特徴構成は、
前記模擬負荷が、消費電力を変更自在に構成され、
前記停電制御手段が、前記模擬負荷投入処理において、前記模擬負荷の消費電力を所定の最小消費電力に設定した状態で当該模擬負荷を前記発電機に投入し、その後、前記模擬負荷の消費電力を前記特定負荷よりも小さい所定の切替前最大消費電力に漸次増加させた後に前記投入負荷切替処理を実行する点にある。
【０００９】
本特徴構成によれば、発電機に対する模擬負荷の投入時には、その模擬負荷の消費電力が十分に小さい所定の最小消費電力に設定されていることから、発電機の運転状態を一層安定したものに維持することができる。更に、発電機に対する模擬負荷の投入後において、発電機に投入されている模擬負荷の消費電力が所定の切替前最大消費電力に亘って漸次増加することから、エンジンの運転状態を安定したものに維持したまま、エンジンに適度な負荷をかけて暖機をより早期に進行させることができる。
そして、発電機に投入されている模擬負荷の消費電力が所定の切替前最大消費電力に増加された状態で、投入負荷切替処理が実行されて、発電機に投入される電力負荷が模擬負荷から特定負荷に切り替えられることになる。よって、特定負荷の投入時における発電機の負荷の増加幅は、模擬負荷の消費電力が所定の最小消費電力である状態から投入負荷切替処理が実行されるときと比べて小さくなるので、エンジンの回転速度を安定したものに維持しながら、より大きな特定負荷を投入することができる。
【００１０】
本発明に係る発電システムの更なる特徴構成は、
前記停電制御手段が、前記模擬負荷投入処理において、前記エンジンの運転状態が不安定と判定したときには、前記模擬負荷の消費電力の増加を禁止する点にある。
【００１１】
模擬負荷投入処理において、発電機に投入した模擬負荷の消費電力を漸次増加させるにあたり、その増加が急すぎると、例えば過給機の回転速度の上昇が追い付かなくなって、エンジンの回転速度や吸気圧力などが低下しエンジンの運転状態が不安定となり、結果、故障又はストール等が発生する場合がある。
そこで、本特徴構成によれば、停電制御手段が、発電機に投入した模擬負荷の消費電力を漸次増加させるにあたり、エンジンの回転速度や吸気圧力などが規定値を下回ったことを確認し、エンジンの運転状態が不安定であると判定したときには、模擬負荷の消費電力の増加を禁止するので、エンジンの故障やストールを回避しながら、発電機に投入された模擬負荷の消費電力を適度に増加させることができる。
【００１２】
本発明に係る発電システムの更なる特徴構成は、
前記停電制御手段が、前記発電機の発電電圧が所定の基準電圧に到達したときに前記模擬負荷投入処理を実行し、前記エンジンの暖機が完了したときに前記投入負荷切替処理を実行する点にある。
【００１３】
本特徴構成によれば、発電機の発電電圧が例えば商用電力系統の受電電力と同じ基準電圧（例えば６６００Ｖ）に到達した時点で、エンジンの暖機が不十分であったとしても、速やかに模擬負荷投入処理を実行して発電機へ模擬負荷を投入することができる。
すると、できるだけ早い段階でエンジンに適度な負荷をかけて、当該エンジンの暖機を早期に進行させることができる。
更に、発電機へ模擬負荷を投入した後に、例えばエンジンの暖機状態を経過時間又はエンジン冷却水の温度や吸気圧力検知などにより判定し、エンジンの暖機が完了した時点で、投入負荷切替処理を実行して発電機に特定負荷を投入するので、エンジンの回転速度を安定したものに維持しながら、より大きな特定負荷を投入することができる。
【図面の簡単な説明】
【００１４】
【図１】発電システムの概略構成及び通常給電状態を示す図
【図２】発電システムの概略構成及び模擬負荷投入状態を示す図
【図３】発電システムの概略構成及び特定負荷投入状態を示す図
【図４】第１実施形態における停電時に実行される停電制御の処理フロー図
【図５】第１実施形態における停電時におけるエンジンの回転速度及び発電機の発電電力の状態遷移を示すグラフ図
【図６】第２実施形態における停電時に実行される停電制御の処理フロー図
【図７】第３実施形態における停電時におけるエンジンの回転速度、吸気圧力、及び発電機の発電電力の状態遷移を示すグラフ図
【発明を実施するための形態】
【００１５】
本発明に係る発電システムの実施形態について、図面に基づいて説明する。
図１に示す発電システムは、商用電力系統１から受電した受電電力を消費する電力負荷Ｌを有する事業所などの施設に設けられて、当該商用電力系統１からの受電が停止する停電が発生したときに、電力負荷Ｌの少なくとも一部の特定負荷としての重要負荷１１に対して、発電装置３０で発電した発電電力を供給するシステムとして構成されている。
尚、商用電力系統１から受電した受電電力は、電力線３に供給され、当該電力線３に遮断機４を介して接続された一般負荷５に供給される。また、電力線３に供給された受電電力は後述する切替器６，８を介して電力線９に供給され、当該電力線９に遮断機１０を介して接続された重要負荷１１に供給される。
尚、この重要負荷１１としては、コンプレッサ、ポンプ、エレベータ、医療機器などの非常用設備の電気負荷などとされている。
【００１６】
かかる発電システムには、下記に説明する発電装置３０と、この発電装置３０の運転を制御する制御装置４０とが設けられている。
上記発電装置３０は、商用電力系統１の受電電力と同じ基準電圧（例えば６６００Ｖ）及び基準周波数（例えば６０Ｈｚ）の発電電力を電力負荷Ｌに供給可能なものとして構成されている。更に、発電装置３０は、発電に伴って熱を発生するコージェネレーションシステムとして構成されている。
【００１７】
上記発電装置３０は、発電機３２をエンジン３１で駆動する形態で発電を行う一般的な発電装置として構成されており、図示は省略するが、発電機３２の発電電力を基準電圧及び基準周波数に変換する電力変換部や、バッテリーの蓄電電力を利用してエンジン３１を起動させるセルモータ等が設けられている。そして、制御装置４０は、外部からの電力供給がない状態でも、エンジン３１をセルモータにより自立起動することができ、また、エンジン３１の回転速度を所望の定格回転速度に設定する形態でエンジン３１の出力を制御する。
【００１８】
この発電システムには、商用電力系統１から電力線３が受電する受電電力を計測する電力計測器２が設けられている。即ち、この電力計測器２は、受電電力の計測結果を監視し、その結果から商用電力系統１からの受電が停止する停電を検出する停電検出手段Ａとして機能する。
一方、制御装置４０は、停電検出手段Ａにより停電が検出された停電時に、エンジン３１を起動させた状態で、発電機３２に対し重要負荷１１を投入する停電制御手段Ｂとして機能する。尚、この重要負荷１１のように、エンジン３１の起動後に発電機３２に投入される電力負荷Ｌを初期負荷と呼ぶ場合もある。
【００１９】
更に、この発電システムには、施設内の電力負荷Ｌとは別に、重要負荷１１よりも消費電力が小さい模擬負荷２２が設けられている。
尚、この模擬負荷２２としては、最大の消費電力が重要負荷１１よりも小さいものを利用できるが、別に、最大の消費電力が重要負荷１１よりも大きい場合でもその消費電力を重要負荷１１よりも小さい状態に調整して利用しても構わない。
具体的に、模擬負荷２２は、電力線２０に対して遮断機２１を介して接続されており、この電力線２０は、後述する切替器８の常閉接点８ｂに接続されている。
模擬負荷２２としては、需要家の意思とは無関係に電力消費の有無の状態を切り換え可能な電力負荷であるヒータなどの電気抵抗器や、電力を回転負荷として消費する回転負荷抵抗器などが利用されている。また、電気抵抗器を模擬負荷２２として利用する場合に、その発生した熱は、例えば、ファンにより直接放熱したり、エンジン３１の冷却水で回収された熱などと共に利用に供すことができる。尚、この模擬負荷２２は、インバータなどを組み合わせたり電気抵抗値を変化させるなどにより、消費電力を変更自在に構成されている。
【００２０】
切替器６，８は、トランスファ接点式（電圧ＯＮ／ＯＦＦで切り替わる）のスイッチで構成されており、商用電力系統１及び一般負荷５が接続された電力線３と、重要負荷１１が接続された電力線９との間に、互いの共通接点６ｃ，８ｃとを電力線７で接続する状態で設けられている。
具体的に、切替器６は、商用電力系統１及び一般負荷５が接続された電力線３が常開接点６ａに接続され、発電機３２の電力出力側が常開接点６ａ及び常閉接点６ｂに接続され、別の切替器８の共通接点８ｃに接続された電力線９が共通接点６ｃに接続されている。
一方、切替器８は、重要負荷１１が接続された電力線９が常開接点８ａに接続され、後述する模擬負荷２２が接続された電力線２０が常閉接点８ｂに接続され、別の切替器６の共通接点６ｃに接続された電力線９が共通接点６ｃに接続されている。
【００２１】
そして、制御装置４０は、切替器６，８の状態を切り替えることで、商用電力系統１及び発電機３２に対する一般負荷５、重要負荷１１、及び模擬負荷２２の投入状態を、後述する通常給電状態（図１参照）、模擬負荷投入状態（図２参照）、及び、特定負荷投入状態（図３参照）とから択一的に切り替えることができる。以下、夫々の状態について、説明を加える。
【００２２】
図１に示す通常給電状態では、切替器６はＯＮ状態（共通接点６ｃを常開接点６ａに接続する状態）とされ、切替器８はＯＮ状態（共通接点８ｃを常開接点８ａに接続する状態）とされる。
すると、商用電力系統１と電力線３，７，９が接続されると共に、発電機３２の電力出力側がこれら電力線３，７，９に接続されるので、商用電力系統１から受電した受電電力と、発電機３２が発電した発電電力とが、全ての電力負荷Ｌに供給されることになる。
尚、制御装置４０は、停電検出手段Ａにより停電が検出されていない場合には、切替器６，８の状態をこのような通常給電状態として、商用電力系統１から電力負荷Ｌへの給電を継続させる。
【００２３】
図２に示す模擬負荷投入状態では、切替器６はＯＦＦ状態（共通接点６ｃを常閉接点６ｂに接続する状態）とされ、切替器８はＯＦＦ状態（共通接点８ｃを常閉接点８ｂに接続する状態）とされる。
すると、発電機３２の発電出力側に対して、一般負荷５が接続された電力線３及び重要負荷１１が接続された電力線９が解列され、一方、模擬負荷２２が接続された電力線２０が接続されることになるので、発電機３２が発電した発電電力が、模擬負荷２２のみに供給されることになる。
【００２４】
図３に示す特定負荷投入状態では、切替器６はＯＦＦ状態（共通接点６ｃを常閉接点６ｂに接続する状態）とされ、切替器８はＯＮ状態（共通接点８ｃを常開接点８ａに接続する状態）とされる。
すると、発電機３２の発電出力側に対して、一般負荷５が接続された電力線３及び模擬負荷２２が接続された電力線２０が解列され、一方、重要負荷１１が接続された電力線９が接続されることになるので、発電機３２が発電した発電電力が、重要負荷１１のみに供給されることになる。
【００２５】
そして、制御装置４０が機能する停電制御手段Ｂは、停電検出手段Ａにより停電が検出された停電時には、負荷投入準備時間（停電時から重要負荷１１が投入できる状態になるまでの時間）の短縮、特定負荷投入率（発電機３２の定格発電電力に対する重要負荷１１の消費電力の割合）の拡大、並びに、整定時間（重要負荷１１を投入してから発電機３２を駆動するエンジン３１の回転速度が安定するまでの時間）の短縮を実現するための停電制御を実行するように構成されている。
【００２６】
〔第１実施形態〕
以下、停電制御の詳細な処理フローの第１実施形態について、図４及び図５に基づいて説明を加える。
停電検出手段Ａにより停電が検出された場合（図４のステップ＃１のｙｅｓ側、図５の時間Ｔ０）には、蓄電電力によりセルモータが作動されて、エンジン３１が自立起動される（図４のステップ＃２）。すると、図５に示すように、出力制御によりエンジン３１の回転速度が上昇し、それに伴って、エンジン３１により回転駆動される発電機３２の発電電圧が上昇する。
【００２７】
次に、エンジン３１の回転速度が定格回転速度に達し、それに伴って、発電機３２の発電電圧が基準電圧に到達して確立されたと判定したときに（図４のステップ＃３のｙｅｓ側）、切替器６，８の状態をそれまでの通常給電状態（図１参照）から模擬投入状態（図２参照）に切り替える形態で、発電機３２に模擬負荷２２を投入する模擬負荷投入処理が実行される（図４のステップ＃４−１〜＃４−５、図５の時間Ｔ１〜時間Ｔ２）。
【００２８】
この模擬負荷投入処理では、先ず、模擬負荷２２の消費電力を十分に小さい所定の最小消費電力に設定された状態で、当該模擬負荷２２が発電機３２に投入される（図４のステップ＃４−１）。このことにより発電機３２の運転状態が安定したものに維持される。
次に、模擬負荷２２の消費電力が重要負荷１１よりも小さい所定の切替前最大消費電力に至るまで（図４のステップ＃４−４のｙｅｓ側）、所定時間毎に（図４のステップ＃４−２）、模擬負荷２２の消費電力が所定幅ずつ段階的に増加される（図４のステップ＃４−３）。このことにより、エンジン３１の運転状態は安定したものに維持されたまま、エンジン３１に適度な負荷がかかり、結果、当該エンジン３１の暖機が早期に進行することになる。
【００２９】
次に、エンジン３１の冷却水の昇温状態や吸気圧力状態又は起動時からの経過時間などを監視して、エンジン３１の暖機が完了したと判定した場合（図４のステップ＃４−５のｙｅｓ側）には、模擬負荷投入処理を完了し、切替器６，８の状態をそれまでの模擬負荷投入状態（図２参照）から特定負荷投入状態（図３参照）に切り替える形態で、発電機３２に投入される電力負荷を模擬負荷２２から重要負荷１１に切り替える投入負荷切替処理が実行される（図４のステップ＃５、図５の時間Ｔ２）。
このとき、発電機３２の発電電力は、模擬負荷２２の切替前最大消費電力に相当するものから、それよりも大きい重要負荷１１の消費電力に相当するものに増加することになるが、その増加幅は、発電機３２に対して略無負荷状態から重要負荷１１を突然投入したときと比べて小さくなる。
よって、発電機３２を駆動するエンジン３１の回転速度は比較的早い段階で整定して、発電機３２による安定した発電が継続されることになる。
【００３０】
〔第２実施形態〕
次に、停電制御の詳細な処理フローの第２実施形態について、図６及び図７に基づいて説明を加える。
尚、この第２実施形態の停電制御の処理フローは、模擬負荷投入処理の詳細構成のみ上記第１実施形態と異なる。よって、以下では、上記第１実施形態と重複する説明は割愛し、その模擬負荷投入処理の詳細構成についてのみ説明を加える。
【００３１】
第２実施形態の模擬負荷投入処理（図６のステップ＃４−１１〜＃４−１５、図７の時間Ｔ１〜時間Ｔ２）では、先ず、模擬負荷２２の消費電力を十分に小さい所定の最小消費電力に設定された状態で、当該模擬負荷２２が発電機３２に投入される（図６のステップ＃４−１１）。このことにより発電機３２の運転状態が安定したものに維持される。
【００３２】
次に、エンジン３１の回転速度が所定の回転速度規定値以上であり（図６のステップ＃４−１２のｙｅｓ側）、エンジン３１の吸気圧力が所定の吸気圧力規定値以上である（図６のステップ＃４−１３のｙｅｓ側）場合には、模擬負荷２２の消費電力が重要負荷１１よりも小さい所定の切替前最大消費電力に至るまで（図６のステップ＃４−１５のｙｅｓ側）、模擬負荷２２の消費電力が所定幅ずつ段階的に増加される（図６のステップ＃４−１４）。
ここで、回転速度規定値及び吸気圧力規定値は、エンジン３１の回転速度及び吸気圧力について、エンジン３１の安定運転を維持し得る下限値として設定された値である。
また、吸気圧力規定値は、エンジン３１の負荷変動に応じて定められる目標吸気圧力に対して、所定幅低い値として設定される。
【００３３】
一方、エンジン３１の回転速度が回転速度規定値を下回るとき（図６のステップ＃４−１２のｎｏ側）、又は、エンジン３１の吸気圧力が吸気規定値を下回るとき（図６のステップ＃４−１３のｎｏ側）場合には、それが解消されるまでの間、上記ステップ＃４−１４による模擬負荷２２の消費電力の増加が禁止される（図７の時間Ｔ１ａ〜時間Ｔ１ｃ）。
尚、図７では、時間Ｔ１ａ〜Ｔ１ｂの期間において、エンジン３１の回転速度が回転速度規定値を下回っており、時間Ｔ１ａ〜Ｔ１ｃの期間において、エンジン３１の吸気圧力が吸気圧力規定値を下回っている状態が示されている。
そして、このような状態で模擬負荷２２の消費電力の増加を一時的に禁止することで、エンジンの故障やストールを回避しながら、発電機３２に投入された模擬負荷２２の消費電力が適度に増加されることになる。
【００３４】
よって、模擬負荷２２の消費電力が切替前最大消費電力まで増加できたとき（図６のステップ＃４−１５のｙｅｓ側）には、エンジン３１の安定運転が維持された状態で暖機が完了したと判断できるため、別の暖機判定を介すことなく、模擬負荷投入処理を完了して、投入負荷切替処理が実行されることになる（図６のステップ＃５、図７の時間Ｔ２）。
【００３５】
〔その他の実施形態〕
最後に、本発明のその他の実施形態について説明する。尚、以下に説明する各実施形態の構成は、それぞれ単独で適用されるものに限られず、矛盾が生じない限り、他の実施形態の構成と組み合わせて適用することも可能である。
【００３６】
（１）上記実施形態では、停電時に発電機３２に投入する電力負荷Ｌである特定負荷を、重要負荷１１として説明したが、重要負荷１１以外の電力負荷Ｌを当該特定負荷としても構わない。
【００３７】
（２）上記実施形態では、模擬負荷２２を、電気抵抗値を変化させることにより、消費電力を変更自在に構成したが、別の形態で模擬負荷２２の消費電力を変更自在に構成しても構わない。例えば、模擬負荷２２を複数の負荷に分割すると共に、それら分割された複数の負荷の夫々を、遮断機を介して電力線２０に接続し、その遮断機の解列数（又は投入数）を変化させることで、当該模擬負荷２２の消費電力を変更することもできる。
【００３８】
（３）上記実施形態では、停電時の模擬負荷投入処理において、模擬負荷２２の消費電力を最小消費電力から切替前最大消費電力に至るまで増加させるように構成したが、模擬負荷２２の消費電力を一定に保つように構成しても構わない。
【００３９】
（４）上記実施形態では、模擬負荷２２の切替前最大消費電力を重要負荷１１よりも小さいものとして、発電機３２に投入される電力負荷を模擬負荷２２から重要負荷１１に切り替える投入負荷切替処理時において発電機３２の発電電力が増加するように構成したが、逆に、模擬負荷２２の切替前最大消費電力を重要負荷１１よりも大きいものとして、同投入負荷切替処理時において発電機３２の発電電力が減少するように構成しても構わない。
【００４０】
（５）上記実施形態では、発電機３２の発電電圧が所定の基準電圧に到達したと判定したときに、模擬負荷投入処理を実行するように構成したが、例えば、エンジン３１の起動時からの経過時間が所定の設定時間に到達したときに、発電電圧が確立したと判断して、模擬負荷投入処理を実行するように構成しても構わない。
【産業上の利用可能性】
【００４１】
本発明は、エンジンにより駆動されて発電を行う発電機と、商用電力系統から電力負荷への給電が停止する停電を検出する停電検出手段と、前記停電検出手段により停電が検出された停電時に、前記エンジンを起動させた状態で、前記発電機に前記電力負荷の少なくとも一部の特定負荷を投入する停電制御手段と、を備えた発電システムとして好適に利用可能である。
【符号の説明】
【００４２】
１        ：商用電力系統
１１      ：重要負荷（特定負荷）
２２      ：模擬負荷
３１      ：エンジン
３２      ：発電機
Ａ        ：停電検出手段
Ｂ        ：停電制御手段
Ｌ        ：電力負荷
【図１】
2015035930.tif 000003
【図２】
2015035930.tif 000004
【図３】
2015035930.tif 000005
【図４】
2015035930.tif 000006
【図５】
2015035930.tif 000007
【図６】
2015035930.tif 000008
【図７】
2015035930.tif 000009